(57)【特許請求の範囲】
【請求項１】
原子炉水位が目標水位レベルとなるように給水制御され、
制御棒の操作によって原子炉の出力を制御する原子炉出力制御装置において、
前記原子炉の出力制御を行う制御棒操作信号を出力する出力制御手段と、
前記制御棒操作信号を入力して複数本の制御棒を同時に操作する制御棒駆動手段と、
前記原子炉水位が目標水位レベルと水位高警報レベルおよび水位低警報レベルの間にそれぞれ設定した制限レベルになると前記制御棒駆動手段による制御棒操作を阻止する制御棒操作制限手段を備え、
前記制御棒操作制限手段は原子炉水位が目標水位レベルと水位高警報レベルおよび水位低警報レベルの間にそれぞれ設定した制限レベルになると前記制御棒駆動手段による制御棒操作を停止し、前記制限レベル内になると制御棒操作を可能にすることを特徴とする原子炉出力制御装置。
【請求項２】
請求項１の原子炉出力制御装置において、
前記出力制御手段は前記原子炉の低出力時における出力制御を行う制御棒操作信号を出力し、
前記制御棒操作制限手段は前記原子炉水位が目標水位レベルと水位高警報レベルおよび水位低警報レベルの間にそれぞれ設定した制限レベルになると前記制御棒駆動手段による制御棒操作を阻止し、予め定めた設定時間後に制御棒操作を再開させることを特徴とする原子炉出力制御装置。
【発明の詳細な説明】
【０００１】
【発明の属する技術分野】
本発明は、複数の制御棒を同時に操作して原子炉の出力を調整する原子炉出力制御装置に関する。
【０００２】
【従来の技術】
原子力プラントの起動においては、各種の運転制御モードがあり、それぞれの運転制御モードごとに制御目標を設定して制御をするようにしている。近年、運転の省力化や起動時間の短縮などを目的として、複数の制御棒を同時に操作して原子力プラントを運転することが提案されている。例えば、特開昭６３−２８６７９３号公報には臨界制御モードの一制御方式が提案されており、原子炉を停止状態から臨界状態にするにあたって複数の制御棒の操作タイミング及び操作量をどのようにするかについて記載されている。原子炉の低出力時の運転制御モードとしては、昇温・昇圧制御モード，炉出力制御モード，未臨界制御モード，制御棒全挿入モードがある。昇温・昇圧制御モードは目標炉水温度変化率に従って原子炉の圧力を目標値に到達させるモードであり、炉出力制御モードは炉出力を目標出力変化率に従って目標値まで変更させるモードである。未臨界制御モードは炉内に制御棒を挿入して臨界レベル以下に炉出力を低下させるモードであり、制御棒全挿入モードは原子炉を停止させる際に炉出力制御モードで炉出力を低下させた後、制御棒を全挿入位置まで挿入して原子炉を停止状態にするモードである。
【０００３】
【発明が解決しようとする課題】
原子炉の水位は給水制御系によって制御される。一般に、原子炉の出力が３０％未満では、給水制御系は原子炉の水位のみによる単要素制御により水位が一定となるように制御する。炉出力が３０％以上では、原子炉水位，給水流量及び主蒸気流量を使用する三要素制御により水位が一定となるように制御する。従って、原子炉低出力時の運転制御モードにおいては、炉水位は給水制御系の単要素制御によって一定レベルに制御される。ところで、原子炉一次冷却水（原子炉内）にボイドが発生すると、その体積の大きさ及びその数に依存して原子炉水位が上昇する。低出力時にもボイドは発生している。ボイド率は定格出力運転時に約
４０％程度であり、低出力時にもかなりボイドが発生している。ボイドが発生している低出力時の運転モードとしては、昇温・昇圧制御モードにおける定格圧力状態近傍の時、炉出力制御モード，未臨界制御モード，制御棒全挿入モードがある。
【０００４】
このような運転モードにおいても炉出力変更は複数の制御棒を同時に操作して行われる。複数の制御棒が同時に挿入されると減束材である制御棒に中性子が吸収され、炉出力の低下と共にボイドが潰れる。この結果、ボイドの総体積に依存していた水位が低下する。しかも、複数の制御棒が同時に挿入されることによりボイドの潰れる量は多く、炉水位が大きく低下する。原子炉水位は給水制御系の単要素制御機能により制御されるが、水位が低下してから制御され、そして大型機器である給水ポンプの応答も遅く、炉水位を直ちに回復させることはできない。炉水位が通常水位より約１２０ｍｍ低下すると警報水位レベルとなり警報が発生する。警報が発生することは運転管理上望ましくないことであり、原因究明対策が必要となる。
【０００５】
また、複数の制御棒が同時に引抜かれることにより、ボイドがより多く発生し、制御棒挿入時とは逆に炉水位が上昇する。水位上昇に対しても警報水位レベルが設定してあり、この警報水位レベルに達して警報が発生する虞れがある。
【０００６】
特に、未臨界制御モード及び制御棒全挿入モードにおいては、複数の制御棒を同時に挿入する際の操作量が多いため、ボイドの潰れる量が多く、警報発生になる可能性が高くなる。
【０００７】
本発明は以上の点に鑑みなされたものであり、その目的とするところは、複数の制御棒を同時に操作しても原子炉水位が警報水位レベルになるのを防止できる原子炉出力制御装置を提供するところにある。
【０００８】
【課題を解決するための手段】
上記目的を達成するために、本発明の原子炉出力制御装置は原子炉水位が目標水位レベルとなるように給水制御され、制御棒の操作によって原子炉の出力を制御するものであって、前記原子炉の出力制御を行う制御棒操作信号を出力する出力制御手段と、前記制御棒操作信号を入力して複数本の制御棒を同時に操作する制御棒駆動手段と、前記原子炉水位が目標水位レベルと水位高警報レベルおよび水位低警報レベルの間にそれぞれ設定した制限レベルになると前記制御棒駆動手段による制御棒操作を阻止する制御棒操作制限手段を備え、前記制御棒操作制限手段は原子炉水位が目標水位レベルと水位高警報レベルおよび水位低警報レベルの間にそれぞれ設定した制限レベルになると前記制御棒駆動手段による制御棒操作を停止し、前記制限レベル内になると制御棒操作を可能にすることを特徴とするものである。
【０００９】
【発明の実施の形態】
以下、本発明の一実施例を図１を用いて説明する。図１は低出力時の炉出力制御モード運転に適用した例を示している。
【００１０】
出力制御器１は、目標出力変化率，目標出力，中性子検出器５の出力信号及び電気油圧制御装置２１を構成する圧力制御器２１Ａの出力信号を入力して、原子炉３の炉出力を制御するために必要な制御棒操作信号を出力する。制御棒操作信号は目標出力変化率に基づき変化する。出力制御器１の制御棒操作信号は操作判定器９を介して、制御棒駆動装置２に与える。原子炉３の主蒸気圧力は圧力検出器６で検出され電気油圧制御装置（ＥＨＣ）２１に入力される。圧力制御器２１Ａの出力信号は全蒸気流量に相当する。炉出力が低い時には中性子検出器５の中性子束信号が変動しやすいため、炉内圧力が定格に保たれていると中性子束よりも圧力制御器２１の出力信号を用いて炉出力制御をしている。ただし、中性子束信号の変動をフィルタ等により十分に抑制できれば、中性子検出器５の出力信号を用いることもできる。中性子検出器５の出力信号は炉出力が目標に到達したら制御を解除するために使用され、圧力制御器２１Ａの出力信号は炉出力を一定の割合で変更するためのフィードバック制御信号として使用される。
【００１１】
出力制御器１の制御棒操作信号はスイッチ８を介して制御棒操作判定器９に加えられる。制御棒操作判定器９は図示の特性で制御棒挿入指令あるいは制御棒引抜指令を制御棒駆動装置２に出力する。制御棒駆動装置２は入力される指令に応じて原子炉３内の複数の制御棒の挿入または引抜きの制御を行う。原子炉３の炉水位は原子炉水位計４によって検出され制御棒操作制限器２２に入力される。制御棒操作制限器２２は炉水位が警報水位レベルに達することがないように制御棒の操作を制限する。原子炉水位計４の炉水位信号は比較器１３，１４，１５，１６に入力され、あらかじめ設定器１７，１８，１９，２０に設定されている炉水位レベルと比較される。比較器１３及び１４の出力信号はオアゲート１１に入力され、比較器１５及び１６の出力信号はアンドゲート１２に入力される。オアゲート１１の出力信号はフリップフロップ（Ｆ／Ｆ）回路１０のセット信号となり、アンドゲート１２の出力信号はＦ／Ｆ回路１０のリセット信号となる。Ｆ／Ｆ回路１０はセット信号が入力された時（論理“１”の時）にはスイッチ８を開状態にさせ、リセット信号が入力された時（論理“０”の時）にはスイッチ８を閉状態にさせる。Ｆ／Ｆ回路１０はリセット信号が入力されるとセット信号が入力されるまでその出力信号を保持し、逆にセット信号が入力されるとリセット信号が入力されるまでその出力信号を保持する。原子炉３の水位が通常の水位レベルにある時にはアンドゲート１２からリセット信号が出力され、スイッチ８は閉状態となっている。スイッチ８が閉状態では、出力制御器１から出力される制御棒操作信号に従って制御棒が操作される。原子炉水位が変化し警報水位レベルに近づき制限レベルになるとオアゲート１１からセット信号が出力されスイッチ８を開状態にする。この結果、出力制御器１の制御棒操作信号が制御棒駆動装置２に加えられず、制御棒操作は阻止される。その後、図示していない給水制御系の動作により、炉水位が通常水位に回復するとアンドゲート１２からリセット信号が出力されスイッチ８を閉状態にして制御棒操作が再開される。
【００１２】
次に、制御棒操作制限動作を図２を参照して説明する。
【００１３】
図２において、ＷＵは警報「水位高」レベルであり、ＷＬは警報「水位低」レベルである。Ｗ０は原子炉の通常の水位レベルである。Ｗ１は通常水位レベルＷ０と警報「水位高」レベルＷＵの間に設定される第１の制限水位レベルであり、制限水位レベルＷ１以上になった時に制御棒操作を阻止する。水位レベルＷ２は水位レベルＷ０とＷ１の間に設定される第１の操作許可レベルであり、これ以下の水位レベルに戻った時に制御棒操作を再開させる。Ｗ４は通常水位レベルＷ０と警報「水位低」レベルＷＬの間に設定される第２の制限水位レベルであり、制限水位レベルＷＬ以下になった時に制御棒操作を阻止する。水位レベルＷ３は水位レベルＷ０とＷ４の間に設定される第２の操作許可レベルであり、これ以上の水位レベルに戻った時に、制御棒操作を再開させる。水位レベルＷ１，Ｗ２，Ｗ３，Ｗ４の値はシミュレーション解析した結果等を利用して設定器１７，１８，１９，２０に設定される。設定器１７にＷ４，設定器１８にＷ１が設定される。設定器１９にＷ３，設定器２０にＷ２が設定される。原子炉水位をＷとすると、比較器１３はＷ＜Ｗ４の時に論理“１”を出力し、比較器１４はＷ＞Ｗ１の時に論理“１”を出力する。このためＷ＜Ｗ４又はＷ＞Ｗ１の時にオアゲート１１からセット信号が出力される（論理“１”出力）。つまり、炉水位ＷがＷ１以上になった時、あるいはＷがＷ４以下になった時にセット信号が出力されスイッチ８が開状態になる。比較器１５はＷ＞Ｗ３の時に論理“１”を出力し、比較器１６はＷ＜Ｗ２の時に論理“１”を出力する。このため、Ｗ３＜Ｗ＜Ｗ２の時にはアンドゲート１２からリセット信号が出力される（論理“１”出力）。つまり、炉水位ＷがＷ３以上でかつＷ２以下の時にはリセット信号が出力され、スイッチ８が閉状態になる。
【００１４】
制御棒操作時の炉水位Ｗの変化は図２に示すようになる。時刻ｔ０で制御棒挿入を開始すると、制御棒挿入に伴って炉心内のボイドの潰れる量が増大し、炉水位Ｗが通常水位レベルＷ０より低下する。これに対して給水制御系により原子炉３内に冷却水が増加されるが、給水ポンプが大型で応答が遅いため炉水位Ｗの低下が続き、水位低下は時間経過と共にその低下は緩やかになる。炉水位Ｗが水位レベルＷ３に達するまでは、Ｗ＞Ｗ３かつＷ＜Ｗ２であるため、比較器１５及び１６の出力は論理“１”であり、アンドゲート１２の出力は論理“１”となりリセット信号が出力される。このとき、比較器１３及び１４の出力は論理“０”であり、オアゲート１１の出力が論理“０”となりセット信号は出力されない。このため、スイッチ８は閉状態のままである。炉水位Ｗが水位レベルＷ３よりも低くなると、比較器１５の出力は論理“０”となりアンドゲート１２の出力も論理“０”でリセット信号は出力されず、また、比較器１３及び１４の出力も論理  “０”であり、オアゲート１１の出力も論理“０”でありセット信号も出力されない。Ｆ／Ｆ回路１０はリセット状態にありセット信号が入力されるまでその出力を保持し続けるので、スイッチ８は閉状態のままである。時刻ｔ１で炉水位Ｗが制限水位レベルＷ４に達すると、比較器１３の出力は論理“１”となり、セット信号がＦ／Ｆ回路１０に入力される。このとき、比較器１５の出力は論理    “０”であり、アンドゲート１２からリセット信号は出力されない。この結果、Ｆ／Ｆ回路１０はスイッチ８を開状態にさせる。従って、時刻ｔ１で制御棒挿入は阻止される。制御棒挿入が阻止されるとボイドの潰れる量が減少し、かつ給水制御系により水位回復が図られるため、少し時間遅れはあるものの炉水位Ｗは上昇し始める。炉水位Ｗが制限水位レベルＷ４よりも高くなると、比較器１３の出力が論理“０”となり、オアゲート１１からセット信号が出力されなくなる。このとき、アンドゲート１２の出力が依然として論理“０”でリセット信号が出力されないため、Ｆ／Ｆ回路１０は現状の出力状態を保護し続けており、スイッチ８は開状態のままである。時刻ｔ２に炉水位Ｗが水位レベルＷ３に達すると比較器１５の出力は論理“１”になる。このとき比較器１６の出力は論理“１”のままであるので、アンドゲート１２からリセット信号が出力される。一方、比較器１３及び１４の出力はともに論理“０”であるため、オアゲート１１からセット信号は出力されない。この結果、Ｆ／Ｆ回路１０はスイッチ８を閉状態にする。従って、時刻ｔ２で制御棒挿入が再開される。時刻ｔ０からｔ１にかけて複数の制御棒が同時に挿入され、時刻ｔ１からｔ２までは挿入が阻止され、時刻ｔ２で挿入が再開される。このように、通常の水位レベルＷ０と警報「水位低」レベルＷＬ間に第２の制限水位レベルＷ４を設けて、炉水位Ｗが制限水位レベルＷ４以下になったら制御棒挿入を阻止することにより、炉水位Ｗが警報レベルＷＬに達することなく制御棒挿入することが可能となる。なお、水位レベルＷ３は、炉水位Ｗが制限水位レベルＷ４以下になりその後水位レベルＷ４以上になった時にすぐに制御棒挿入を再開すると、再び炉水位が水位レベルＷ４に達するということを繰返して炉出力変更に必要以上の時間を要してしまうので、これを防止するために設けている。つまり、制御棒操作阻止と再開の水位レベルにヒステリシス幅を設けてハンティングを防止している。
【００１５】
次に、時刻ｔ４で制御棒引抜きを開始すると制御棒引抜きに伴って炉心内の発生ボイド量が増大し、炉水位Ｗが上昇する。炉水位Ｗが水位レベルＷ２に達するまでは、Ｗ＞Ｗ３でかつＷ＜Ｗ２であるため、比較器１５及び１６の出力は論理“１”であり、アンドゲート１２からリセット信号が出力される。このとき、比較器１３及び１４の出力は論理“０”であり、オアゲート１１からセット信号は出力されない。このため、スイッチ８は閉状態のままである。炉水位Ｗが水位レベルＷ２よりも高くなると、比較器１６の出力は論理“０”となりアンドゲート１２の出力も論理“０”でリセット信号は出力されなくなる。一方、比較器１３及び１４の出力も論理“０”であり、オアゲート１１からセット信号は出力されない。Ｆ／Ｆ回路１０はリセット状態にありスイッチ８は閉のままである。時刻ｔ５で炉水位Ｗが制限水位レベルＷ１に達すると、比較器１４の出力は論理    “１”となりオアゲート１１の出力が論理“１”となる。つまり、セット信号がＦ／Ｆ回路１０に入力される。このとき比較器１６の出力は論理“０”のままであるため、アンドゲート１２からリセット信号は出力されない。この結果、Ｆ／Ｆ回路１０はスイッチ８を開状態にする。従って、時刻ｔ５で制御棒引抜きは阻止される。制御棒引抜きが阻止されるとボイド量の増加が抑制され、かつ給水制御系により水位は通常水位Ｗ０に戻るように制御されるため、少し時間遅れはあるものの炉水位Ｗは下降し始める。炉水位Ｗが制限水位レベルＷ１よりも低くなると比較器１４の出力が論理“０”となり、オアゲート１１の出力が論理“０”となってセット信号が出力されなくなる。しかし、アンドゲート１２の出力が依然として論理“０”であり、リセット信号が出力されないため、Ｆ／Ｆ回路１０は現状の出力状態を保持し続けており、スイッチ８は開状態のままである。時刻ｔ６に炉水位Ｗが水位レベルＷ２に達すると、比較器１６の出力は論理“１”になる。このとき、比較器１５の出力は論理“１”のままであるので、アンドゲート１２からリセット信号が出力される。一方、比較器１３及び１４の出力はともに論理“０”であるため、オアゲート１１からセット信号は出力されない。この結果、Ｆ／Ｆ回路１０はスイッチ８を閉状態にする。従って、時刻ｔ６以降で制御棒引抜きが再開される。時刻ｔ４からｔ５にかけて複数の制御棒が同時に引抜かれ、時刻ｔ５からｔ６までは引抜きが阻止され、時刻ｔ６以降で引抜きが再開される。このように、通常の水位レベルＷ０と警報「水位高」レベルＷＵ間に第１の制限水位レベルＷ１を設け、炉水位Ｗが制限水位レベルＷ１以上になったら制御棒引抜きを阻止することにより、炉水位Ｗが警報レベルＷＵまたはＷＬに達することなく制御棒引抜きをすることが可能となる。なお、水位レベルＷ２を設けているのは、水位レベルＷ３を設けたのと同様な理由による。
【００１６】
以上のように、通常の水位レベルＷ０と警報「水位高」レベルＷＵ間に第１の制限水位レベルＷ１を設け、Ｗ０と警報「水位低」レベルＷＬ間に第２の制限水位レベルＷ４を設けて、炉水位ＷがＷ１以上あるいはＷ４以下になったら制御棒操作を阻止することにより、炉水位が警報レベルに達するのを防止して制御棒操作が可能となる。
【００１７】
なお、図１の実施例は炉出力制御モードに適用した例を示したが、他の運転制御モードでも同様に行える。他の運転制御モードが異なるのは、出力制御器１に入力する情報（目標出力変化率，目標出力）及び信号（中性子検出器５の出力信号，圧力制御器２１Ａの出力信号）、並びに出力制御器１自体の制御演算機能だけである。他の運転制御モードでも制御棒操作制限器２２の出力で出力制御器１の制御棒操作信号をスイッチ８で開・閉することは同一である。ただし、制御棒全挿入モード及び未臨界制御モードにおいては、制御棒挿入のみであるため、制御棒操作判定器９が不要となる。
【００１８】
図３に本発明の他の実施例を示す。
【００１９】
図３は炉出力制御モードに本発明を適用した例である。図３において図１の実施例と制御棒操作制限器２６が異なる。制御棒操作制限器２６は、炉水位Ｗが制限水位レベルＷ１以上あるいは制限水位レベルＷ４以下になった場合に、図１の制御棒操作制限器２２と同様にスイッチ８を開状態にして制御棒操作を阻止するが、その後、炉水位ＷがＷ１以下あるいはＷ４以上になった場合に、所定時間経過後に制御棒操作を再開する。
【００２０】
図３において、比較器１３の出力信号は遅延回路２４に入力される。遅延回路２４は図４に示すように、入力信号が論理“０”から“１”に変化するときは、その入力信号をそのまま出力するが、入力信号が論理“１”から“０”に変化するときは、あらかじめ定められている時間だけ遅れて“０”になる。遅れ時間はあらかじめ任意の時間に設定される。遅延回路２４の出力信号はオアゲート２３に入力される。比較器１４の出力信号も同様に遅延回路２５に入力される。遅延回路２５は２４と同一機能をもち、その出力信号はオアゲート２３に出力される。オアゲート２３の出力によってスイッチ８の開・閉が制御される。遅延回路２４及び２５の遅延時間はそれぞれ異なった値に設定することもできる。
【００２１】
図３に示す実施例の動作を図５を参照して説明する。
【００２２】
時刻ｔ０で制御棒挿入を開始すると炉水位Ｗが低下する。炉水位Ｗが制限水位レベルＷ４に達するまでは、Ｗ４＜Ｗ＜Ｗ１であり比較器１３及び１４の出力は共に論理“０”である。従って、遅延回路２４及び２５の出力も論理“０”でありオアゲート２３の出力も論理“０”である。この結果、スイッチ８は閉状態のままである。時刻ｔ１で炉水位Ｗが制限水位レベルＷ４に達すると比較器１３より論理“１”の信号が出力され、遅延回路２４の出力も論理“１”となる。この結果、オアゲート２３の出力が論理“１”となり、スイッチ８が開状態になる。これによって制御棒挿入が阻止される。制御棒挿入が阻止されることによりボイドの潰れる量が減少し、かつ給水制御系により水位回復が図られるため、少し時間遅れはあるものの炉水位Ｗは上昇し始める。時刻ｔ２で炉水位Ｗが制限水位レベルＷ４よりも高くなると比較器１３の出力信号は論理“０”になる。時刻ｔ２から所定の遅れ時間経過後の時刻ｔ３に、遅延回路２４の出力信号が論理“０”になる。この結果オアゲート２３の出力は時刻ｔ３で論理“０”となり、スイッチ８を閉状態にする。この結果、時刻ｔ３以降で制御棒挿入が再開される。時刻ｔ０からｔ１にかけて複数の制御棒が同時に挿入され、時刻ｔ１からｔ３までは挿入が阻止され、時刻ｔ３以降で挿入が再開される。このように、炉水位Ｗが制限水位レベルＷ４以下になるとスイッチ８を開状態にして制御棒挿入を阻止するが、その後炉水位Ｗが制限水位レベルＷ４より高くなった場合に、所定時間経過後に制御棒挿入を再開することが可能であり、挿入阻止と挿入再開を短時間で何度も繰返すようなことはない。
【００２３】
次に、時刻ｔ５で制御棒引抜きを開始すると炉水位Ｗが上昇する。炉水位Ｗが制限水位レベルＷ１に達するまでは、Ｗ４＜Ｗ＜Ｗ１であるため、比較器１３及び１４の出力は共に論理“０”である。従って、遅延回路２４及び２５の出力も論理“０”であり、オアゲート２３の出力も論理“０”である。この結果、スイッチ８は閉状態のままである。時刻ｔ６でＷがＷ１に達すると比較器１４より論理“１”の信号が出力され、遅延回路２５の出力も論理“１”となる。この結果、オアゲート２３の出力が論理“１”となり、スイッチ８が開状態になる。スイッチ８の開によって制御棒引抜きが阻止される。制御棒引抜きが阻止されることにより、ボイドの増加が抑制され、かつ給水制御系により水位は通常水位Ｗ０に戻るようになる。少し時間遅れはあるものの炉水位Ｗは低下し始める。時刻ｔ７で炉水位Ｗは制限水位レベルＷ１よりも低くなるため、比較器１４の出力信号は論理“０”になる。時刻ｔ７から所定の遅れ時間経過後の時刻ｔ８に遅延回路２５の出力信号が論理“０”になる。この結果、オアゲート２３の出力は時刻ｔ８で論理“０”となり、スイッチ８を閉状態にする。時刻ｔ８以降に制御棒引抜きが再開される。時刻ｔ５からｔ６にかけて複数の制御棒が同時に引抜かれ、時刻ｔ６からｔ８までは引抜きが阻止され、時刻ｔ８以降で引抜きが再開される。このように、炉水位Ｗが制限水位レベルＷ１以上になるとスイッチ８を開状態にして制御棒引抜きを阻止するが、その後炉水位Ｗが制限水位レベルＷ１より低くなった場合に、所定時間経過後に制御棒引抜きを再開することが可能であり、引抜き阻止と引抜き再開を短時間で何度も繰返すようなことはない。
【００２４】
このように、図３の実施例においても、通常に水位レベルＷ０と警報「水位高」レベルＷＵ間に第１の制限水位レベルＷ１を設け、Ｗ０と警報「水位低」レベルＷＬ間に第２の制限水位レベルＷ４を設けて、炉水位がＷ１以上あるいはＷ４以下になったら制御棒操作を阻止することにより、炉水位が警報レベルに達することなく制御棒操作が可能となる。
【００２５】
なお、図１及び図３の実施例ではスイッチ８を出力制御器１と制御棒操作判定器９との間に設けたが、これに限定することなく、制御棒駆動装置の入力段あるいは出力段に設けても同様に行えるのは勿論のことである。
【００２６】
【発明の効果】
本発明の原子炉出力制御装置によれば、原子炉水位が目標水位レベルと水位高警報レベルおよび水位低警報レベルの間にそれぞれ設定した制限レベルになった場合、ボイドの増減の原因となる制御棒の動作そのものを阻止し、かつ、その後に制限レベル内になると制御棒操作を再開するようにしているので、制御棒動作によるハンティングを防止し、原子炉出力変更に必要以上の時間を要することを防いで、原子炉水位が警報レベルに達することなく原子炉の出力制御を可能にしている。
これにより例えば、本発明は制御棒全挿入モード，未臨界制御モード，炉出力制御モード及び昇温・昇圧制御モード（定格圧力近傍時）の制御を行う原子炉出力制御装置に適用した場合に、その効果が大きい。
【図面の簡単な説明】
【図１】本発明の一実施例を示す構成図。
【図２】炉水位と制御棒操作の関係を示す図。
【図３】本発明の他の実施例を示す構成図。
【図４】遅延回路の入出力関係を示す特性図。
【図５】図３の動作を説明するための波形図。
【符号の説明】
１…出力制御器、２…制御棒駆動装置、４…原子炉水位計、８…スイッチ、１３，１４，１５，１６…比較器、１７，１８，１９，２０…設定器、２２，２６…制御棒操作制限器。
【図１】
0003603572.tif 000002
【図２】
0003603572.tif 000003
【図３】
0003603572.tif 000004
【図４】
0003603572.tif 000005
【図５】
0003603572.tif 000006